(57)【要約】【課題】  赤外線サーモグラフィ装置において、被検体についての視覚的情報と、温度分布情報とを同時に認識できるようにする。【解決手段】  撮像部１０３と、赤外線検出部１０９と、可視画像を生成する第１の生成手段（１０４、１０５）と、検出された赤外線エネルギーに基づいて配色され、複数の赤外線検出素子に対応して配列された複数の矩形領域を含むサーモグラフィ画像を生成する第２の生成手段（１１１、１０５）と、前記サーモグラフィ画像に含まれるそれぞれの矩形領域の一部について、配色された色の透明度を変更することで生成したオーバーレイ用サーモグラフィ画像を前記可視画像にオーバーレイすることで、オーバーレイ画像を生成する画像オーバレイ処理部１１２と、前記オーバーレイ画像を表示する表示部１１３とを備える。【選択図】図１
2010078522.tif 000002
【特許請求の範囲】
【請求項１】
入射された光に含まれる可視光線を検出する可視光線検出手段と、
前記入射された光に含まれる赤外線エネルギーを検出する赤外線検出手段と、
前記可視光線検出手段により検出された可視光線に基づいて、可視画像を生成する第１の生成手段と、
前記赤外線検出手段により検出された赤外線エネルギーのレベルに応じて配色され、該赤外線検出手段に含まれる複数の赤外線検出素子の位置に対応して配列された複数の矩形領域を含むサーモグラフィ画像を生成する第２の生成手段と、
前記サーモグラフィ画像に含まれるそれぞれの矩形領域の一部について、配色された色の透明度を変更することで、オーバーレイ用サーモグラフィ画像を生成する第３の生成手段と、
前記オーバーレイ用サーモグラフィ画像を、前記可視画像にオーバーレイすることで、オーバーレイ画像を生成する第４の生成手段と、
前記オーバーレイ画像を表示する表示手段と
を備えることを特徴とする赤外線サーモグラフィ装置。
【請求項２】
前記第３の生成手段は、前記サーモグラフィ画像に含まれるそれぞれの矩形領域のうち、所定幅の外周部を除く領域について、配色された色の透明度を変更することで、前記オーバーレイ用サーモグラフィ画像を生成することを特徴とする請求項１に記載の赤外線サーモグラフィ装置。
【請求項３】
前記第３の生成手段は、前記所定幅の外周部を除く領域について、配色された色の透明度を１００％に変更することを特徴とする請求項２に記載の赤外線サーモグラフィ装置。
【請求項４】
前記第３の生成手段は、前記所定幅の外周部の色を、隣接する矩形領域の外周部の色に基づいて、変換することを特徴とする請求項３に記載の赤外線サーモグラフィ装置。
【請求項５】
前記表示手段は、前記配色された色と温度との関係を示す指標を更に表示することを特徴とする請求項１に記載の赤外線サーモグラフィ装置。
【請求項６】
前記表示手段は、ユーザにより矩形領域が指定された場合に、該指定された矩形領域に対応する被検体の領域の表面温度を更に表示することを特徴とする請求項４に記載の赤外線サーモグラフィ装置。
【請求項７】
赤外線サーモグラフィ装置における画像処理方法であって、
入射された光に含まれる可視光線を検出する可視光線検出工程と、
前記入射された光に含まれる赤外線エネルギーを検出する赤外線検出工程と、
前記可視光線検出工程において検出された可視光線に基づいて、可視画像を生成する第１の生成工程と、
前記赤外線検出工程において検出された赤外線エネルギーのレベルに応じて配色され、複数の赤外線検出素子の位置に対応して配列された複数の矩形領域を含むサーモグラフィ画像を生成する第２の生成工程と、
前記サーモグラフィ画像に含まれるそれぞれの矩形領域の一部について、配色された色の透明度を変更することで、オーバーレイ用サーモグラフィ画像を生成する第３の生成工程と、
前記オーバーレイ用サーモグラフィ画像を、前記可視画像にオーバーレイすることで、オーバーレイ画像を生成する第４の生成工程と、
前記オーバーレイ画像を表示する表示工程と
を備えることを特徴とする赤外線サーモグラフィ装置における画像処理方法。
【請求項８】
請求項７に記載の画像処理方法をコンピュータによって実行させるためのプログラムを格納したコンピュータ読取可能な記憶媒体。
【発明の詳細な説明】
【技術分野】
【０００１】
本発明は、赤外線サーモグラフィ装置及び画像処理方法に関するものである。
【背景技術】
【０００２】
従来より、被検体の表面温度を検出する装置として、赤外線サーモグラフィ装置が知られている。赤外線サーモグラフィ装置は、被検体が放射する赤外線エネルギーを２次元に配列された赤外線検出素子により検出し、該各赤外線検出素子が検出した赤外線エネルギーのレベルに応じて、各赤外線検出素子の位置に対応する表示部上の各領域を色分けして画像表示する装置である。一般に、赤外線エネルギーは物体の温度と比例するため、赤外線サーモグラフィ装置を用いて被検体を測定することで、被検体表面の温度分布を知ることができる。
【発明の開示】
【発明が解決しようとする課題】
【０００３】
しかしながら、従来の赤外線サーモグラフィ装置は、被検体自体から放射される赤外線エネルギーを可視化するのみであり、その画像は可視スペクトル内の光を検知する人間の視覚とは根本的に異なっていた。このため、表示された画像から被検体の色、形等を認識することは困難であった。
【０００４】
つまり、従来の赤外線サーモグラフィ装置の場合、温度分布情報のみが画像表示され、被検体についての視覚的情報については画像表示されていなかったため、被検体の様子を詳しく知ることができないという問題があった。
【０００５】
本発明は、上記課題に鑑みてなされたものであり、赤外線サーモグラフィ装置において、被検体についての視覚的情報と、温度分布情報とを同時に認識できるようにすることを目的とする。
【課題を解決するための手段】
【０００６】
上記の目的を達成するために、本発明に係る赤外線サーモグラフィ装置は以下のような構成を備える。即ち、
入射された光に含まれる可視光線を検出する可視光線検出手段と、
前記入射された光に含まれる赤外線エネルギーを検出する赤外線検出手段と、
前記可視光線検出手段により検出された可視光線に基づいて、可視画像を生成する第１の生成手段と、
前記赤外線検出手段により検出された赤外線エネルギーのレベルに応じて配色され、該赤外線検出手段に含まれる複数の赤外線検出素子の位置に対応して配列された複数の矩形領域を含むサーモグラフィ画像を生成する第２の生成手段と、
前記サーモグラフィ画像に含まれるそれぞれの矩形領域の一部について、配色された色の透明度を変更することで、オーバーレイ用サーモグラフィ画像を生成する第３の生成手段と、
前記オーバーレイ用サーモグラフィ画像を、前記可視画像にオーバーレイすることで、オーバーレイ画像を生成する第４の生成手段と、
前記オーバーレイ画像を表示する表示手段とを備える。
【発明の効果】
【０００７】
本発明によれば、赤外線サーモグラフィ装置において、被検体についての視覚的情報と、温度分布情報とを同時に認識できるようになる。
【発明を実施するための最良の形態】
【０００８】
以下、本発明の実施形態について図面を参照しながら説明する。
【０００９】
［第１の実施形態］
１．赤外線サーモグラフィ装置の機能構成
図１は、本発明の第１の実施形態に係る赤外線サーモグラフィ装置１００の機能構成を示す図である。図１に示すように、被検体から放射された赤外線と、被検体において反射された可視光線とを含む光は、レンズ群１２１、１２４、シャッタ１２２、絞り１２３等を含む光学系１０１を通って撮像部１０３に導かれる。
【００１０】
シャッタ１２２はシャッタ制御回路１１５により制御され、絞り１２３は絞りモータ制御回路１１６により制御される。また、レンズ群のうちフォーカスレンズ１２４はフォーカスモータ制御回路１１７により制御される。
【００１１】
撮像部１０３は、２次元に配列された複数の撮像素子それぞれが、被検体において反射された光を電気信号に変換して画像信号を生成する。画像信号はＡ／Ｄ回路１０４でデジタル信号に変換され、ＣＰＵ１０５に供給される。ＣＰＵ１０５では、供給されたデジタル信号を画像処理し、可視画像として画像オーバーレイ処理部１１２に供給する。なお、撮像部１０３は撮像素子駆動回路１０６により駆動制御される。
【００１２】
一方、光学系１０１に入射された光のうちハーフミラー１０２により分岐された光は、Ａ／Ｆ（オートフォーカス）センサ１０７に導かれる。Ａ／Ｆセンサ１０７より出力されたセンサ信号はＡ／Ｆセンサ処理回路１０８において処理され、例えば位相検出方式により被検体までの距離（被検体距離情報）が算出される。
【００１３】
算出された被検体距離情報はＣＰＵ１０５に供給される。ＣＰＵ１０５では被検体距離情報に基づいてフォーカスモータ制御回路１１７を介してフォーカスレンズ１２４を制御する。
【００１４】
更に、ハーフミラー１０２で分岐された光は、２次元に配列された複数の赤外線素子からなる赤外線検出部１０９に対しても入射される。赤外線検出部１０９では、分岐された光に含まれる被検体から放射された赤外線エネルギーを検出し、電気信号に変換する。
【００１５】
なお、赤外線検出部１０９は、例えば４×４に配列された赤外線素子から構成され、赤外線検出素子制御回路１０７により駆動制御される。赤外線検出部１０９を構成するそれぞれの赤外線素子は、可視画像の各領域に対応する被検体の各部から放射された赤外線エネルギーを検出する。
【００１６】
電気信号に変換された赤外線エネルギーは、Ａ／Ｄ回路１１１において赤外線デジタル信号に変換され、ＣＰＵ１０５に供給される。ＣＰＵ１０５では、供給された赤外線デジタル信号を、エネルギーレベルに応じて予め定められた色に変換することで、サーモグラフィ画像を生成する。
【００１７】
具体的には、例えば、赤外線素子が４×４に配列されている場合、それぞれの赤外線素子の位置に対応して配列された４×４の矩形領域からなるサーモグラフィ画像が生成される。
【００１８】
生成されたサーモグラフィ画像は画像オーバーレイ処理部１１２に供給され、可視画像にオーバーレイするのに適した画像（オーバーレイ用サーモグラフィ画像と称す。詳細は後述）に変換される。更に、オーバーレイ用サーモグラフィ画像は、同時に撮影された可視画像にオーバーレイされ、これによりオーバーレイ画像が生成される。
【００１９】
画像オーバーレイ処理部１１２において生成されたオーバーレイ画像は、表示部１１３に供給され、表示部１１３において表示される。また、メモリ１１４に供給され、メモリ１１４に保存される。
【００２０】
１１８は入力部であり、赤外線サーモグラフィ装置１００に対するユーザからの各種指示を受け付ける。
【００２１】
２．赤外線サーモグラフィ装置における測定処理の流れ
次に、赤外線サーモグラフィ装置１００における測定処理の流れについて説明する。図２は、赤外線サーモグラフィ装置１００における測定処理の流れを示すフローチャートである。
【００２２】
入力部１１８を介して、ユーザより測定処理の開始指示を受け付けると、図２に示す測定処理が開始される。
【００２３】
ステップＳ２０１では、赤外線検出部１０９が所定の周期で赤外線エネルギーの検出を開始する。
【００２４】
ステップＳ２０２では、Ａ／Ｄ回路１１１が、順次、検出された赤外線エネルギーを赤外線デジタル信号に変換する。そして、ＣＰＵ１０５が、該変換された赤外線デジタル信号に基づいてサーモグラフィ画像を生成する。なお、生成されたサーモグラフィ画像は、順次、画像オーバーレイ処理部１１２に供給される。
【００２５】
ステップＳ２０３では、画像オーバーレイ処理部１１２が、サーモグラフィ画像に基づいて、オーバーレイ用サーモグラフィ画像を生成する。
【００２６】
オーバーレイ用サーモグラフィ画像とは、サーモグラフィ画像に含まれる各矩形領域を、所定幅の外周部の色のみを残して、内部を透明に変換したものである。これは、サーモグラフィ画像をそのまま可視画像にオーバーレイしてしまうと、サーモグラフィ画像に含まれる各矩形領域の色により、可視画像が見えなくなってしまうからである。
【００２７】
ステップＳ２０１〜Ｓ２０３の処理と並行して、ステップＳ２０４では、撮像部１０３が所定の周期で可視光線の検出を開始する。
【００２８】
ステップＳ２０５では、Ａ／Ｄ回路１０４が、順次、検出された可視光線をデジタル信号に変換する。そして、ＣＰＵ１０５が、該変換されたデジタル信号を画像処理し、可視画像を生成する。なお、生成された可視画像は、順次、画像オーバーレイ処理部１１２に供給される。
【００２９】
ステップＳ２０６では、画像オーバーレイ処理部１１２が、ステップＳ２０５において供給された可視画像に、ステップＳ２０３において供給されたオーバーレイ用サーモグラフィ画像をオーバーレイし、オーバーレイ画像を生成する。なお、ステップＳ２０５において供給される可視画像と、ステップＳ２０３において供給されるオーバーレイ用サーモグラフィ画像とは、互いに同期しているものとする（つまり、同じタイミングで検出された光に基づいて生成された画像であるとする）。
【００３０】
ステップＳ２０７では、表示部１１３が、生成されたオーバーレイ画像を表示する。更に、ステップＳ２０８では、メモリ１１４が、生成されたオーバーレイ画像を格納する。
【００３１】
なお、ステップＳ２０１からステップＳ２０８までの処理は、オーバーレイ画像１フレームを生成するための処理を示したものであり、実際は、ユーザにより測定終了の指示が入力されるまで、これらの処理が繰り返し実行されるものとする。
【００３２】
３．オーバーレイ画像の説明
次に、画像オーバーレイ処理部１１２において生成されるオーバーレイ画像について説明する。図３は、オーバーレイ画像の一例を示す図である。
【００３３】
図３に示すように、オーバーレイ画像３００には、被検体の可視画像３０１と、可視画像３０１にオーバーレイされた、４×４の矩形領域の外周部からなるオーバーレイ用サーモグラフィ画像３０２とが含まれる。また、オーバーレイ用サーモグラフィ画像３０２を構成する色と、温度との関係を示した指標３０３が含まれる。
【００３４】
図３に示すように、オーバーレイ用サーモグラフィ画像３０２は、矩形領域の内部が透明であるため、可視画像３０１にオーバーレイされた状態でも、ユーザは、可視画像３０１を見ることができ、被検体を認識することが可能である。
【００３５】
また、オーバーレイ用サーモグラフィ画像３０２と指標３０３とが表示されているため、両者を対比することで、可視画像３０１の各領域の表面温度を認識することができる。つまり、ユーザは、オーバーレイ画像３００に基づいて、被検体についての視覚的情報と温度分布情報とを同時に認識することができる。
【００３６】
以上の説明から明らかなように、本実施形態による赤外線サーモグラフィ装置では、可視画像とサーモグラフィ画像とを同時に取得し、サーモグラフィ画像の各矩形領域の内部を透明にしたうえで可視画像にオーバーレイする構成とした。
【００３７】
これにより、被検体についての視覚的情報と、温度分布情報とを同時に認識することが可能となった。
【００３８】
［第２の実施形態］
上記第１の実施形態では、オーバーレイ用サーモグラフィ画像を生成するにあたり、各矩形領域の内部を完全に透明にすることとしたが、本発明はこれに限定されない。
【００３９】
例えば、各矩形領域の内部の透明度を、１００％〜０％の間で、ユーザが任意に設定できるように構成してもよい。
【００４０】
図４は、オーバーレイ用サーモグラフィ画像の生成に際して、各矩形領域の内部の透明度を５０％に設定した場合のオーバーレイ画像の一例を示す図である。
【００４１】
図４に示すように、各矩形領域の内部の透明度が、１００％でない場合でも、ユーザはある程度可視画像を認識することができるため、状況に応じて（温度分布を知りたいのか、被検体の様子を知りたいのかによって）、透明度の設定を変更可能とすることは、ユーザにとって有益である。
【００４２】
［第３の実施形態］
上記第１の実施形態では、オーバーレイ用サーモグラフィ画像を生成するにあたり、サーモグラフィ画像に含まれる各矩形領域のうち、所定幅の外周部を除く内部を透明に変換し、所定幅の外周部の色はそのまま残すこととしたが、本発明はこれに限定されない。
【００４３】
例えば、所定幅の外周部の色を、隣接する矩形領域の外周部の色に基づいて、更に変換するように構成してもよい。
【００４４】
例えば、所定幅の外周部の色を、隣接する矩形領域の外周部の色との中間色に変換するように構成してもよい。この場合、隣接する外周部どうしが、同じ色になる。
【００４５】
あるいは、所定幅の外周部の色を、隣接する矩形領域の外周部の色に応じて、外周部の幅方向において、段階的に変化させるように構成してもよい。この場合、隣接する外周部間の幅方向において、色がグラデーション表示されることとなる。なお、グラデーション表示は、外周部の幅方向のみならず、長手方向において行うように構成してもよい。
【００４６】
［第４の実施形態］
上記第１の実施形態では、オーバーレイ用サーモグラフィ画像３０２と指標３０３とを対比することで、被検体の各部の温度を認識できるようにする構成としたが、本発明はこれに限定されない。例えば、オーバーレイ用サーモグラフィ画像を構成する各矩形領域のいずれかを指定できるようにし、当該指定された矩形領域に対応する被検体の表面温度を、数値で表示するように構成してもよい。
【００４７】
図５は、指定された矩形領域に対応する被検体の表面温度を数値にて表示するように構成されたオーバーレイ画像の一例を示す図である。図５において、５０１はポインタであり、入力部１１８を介して、任意の矩形領域が指定できるように構成されているものとする。５０２は温度表示部であり、ポインタ５０１により指定された矩形領域に対応する位置の被検体の表面温度を表示する。
【００４８】
図５の例では、ポインタ５０１により指定された矩形領域（４×４に配列された矩形領域のうち、右から２列目、上から２行目の矩形領域）に対応する位置の被検体（被検体の左目周辺）の表面温度が、３７．４度であることを示している。
【図面の簡単な説明】
【００４９】
【図１】本発明の第１の実施形態に係る赤外線サーモグラフィ装置の機能構成を示す図である。
【図２】赤外線サーモグラフィ装置１００における測定処理の流れを示すフローチャートである。
【図３】オーバーレイ画像の一例を示す図である。
【図４】オーバーレイ用サーモグラフィ画像の生成に際して、各矩形領域の内部の透明度を５０％に設定した場合のオーバーレイ画像の一例を示す図である。
【図５】指定された矩形領域に対応する被検体の表面温度を数値で表示するように構成されたオーバーレイ画像の一例を示す図である。
【図１】
2010078522.tif 000003
【図２】
2010078522.tif 000004
【図３】
2010078522.tif 000005
【図４】
2010078522.tif 000006
【図５】
2010078522.tif 000007